(57)【要約】【課題】  本発明は、認証時の信頼性を向上し得る撮像装置を提案するものである。【解決手段】  生体部位における認証対象を撮像する撮像装置において、認証対象を撮像する撮像手段と、生体部位における認証対象が撮像手段に対してそれぞれ異なる位置に配されるように設けられ、各位置を選択指標として表示する表示手段とを設けるようにしたことにより、個人差にかかわらず常に同じ位置に生体部位の認証対象を配置することができると共に、第三者に対しては生体部位の認証対象をどの位置に配置したかを会得し得ないようにでき、かくして認証時の信頼性を向上し得る撮像装置が実現できる。【選択図】        図７
2005312749.tif 000002
【特許請求の範囲】
【請求項１】
生体部位における認証対象を撮像する撮像装置において、
上記認証対象を撮像する撮像手段と、
上記生体部位における認証対象が上記撮像手段に対してそれぞれ異なる位置に配されるように設けられ、各上記位置を選択指標として表示する表示手段と
を具えることを特徴とする撮像装置。
【請求項２】
上記表示手段によって選択された上記認証対象の撮像結果として上記撮像手段から得られる撮像画像での上記認証対象の位置と、上記認証対象とをパラメータとして認証する認証手段
を具えることを特徴とする請求項１に記載の撮像装置。
【請求項３】
生体部位における認証対象を認証する認証方法において、
上記生体部位における認証対象が撮像手段に対してそれぞれ異なる位置に配されるように設けられ、各上記位置を選択指標として表示する表示手段によって選択された上記認証対象を撮像する第１のステップと、
撮像した結果得られる撮像画像での上記認証対象の位置と、上記認証対象とをパラメータとして認証する第２のステップと
を具えることを特徴とする認証方法。
【発明の詳細な説明】
【技術分野】
【０００１】
本発明は、撮像装置及び認証方法に関し、例えば人体の血管を撮像する場合に適用して好適なものである。
【背景技術】
【０００２】
従来、人体表面における指又は掌の指紋等を撮像し、得られた画像に基づく指紋の形成パターンが個人情報として一般的に用いられているが、近年、人体内方における血管を撮像し、得られた血管画像に基づく血管の形成パターン（以下、これを血管形成パターンと呼ぶ）も個人情報として用いられ始めている。
【０００３】
この場合、例えば図１７に示す認証装置１が提案されており、撮像部１０において、血管内の脱酸素化ヘモグロビン（静脈血）又は酸素化ヘモグロビン（動脈血）に近赤外線帯域の光（近赤外光）が特異的に吸収されることを利用して、人体内方における血管を撮像する。
【０００４】
この撮像部１０は、近赤外光を発射する近赤外光光源１１を有し、当該近赤外光光源１１から発射される近赤外光の光路上には、近赤外波長域の光のみを透過する光学フィルタ１２及びカメラ部１３が順次配置されている一方、光学フィルタ１２の両側にはガイド溝１４が設けられている。
【０００５】
また撮像部１０には、ガイド溝１４のガイド方向に撮像スイッチ１５が設けられており、この撮像スイッチ１５の位置は、ガイド溝１４に沿って指ＦＧを配置した際に、指ＦＧの第１及び第２関節間前後の部分が光学フィルタ１２に位置するように選定されている。
【０００６】
これにより撮像部１０は、撮像スイッチ１５を押そうとガイド溝１４に誘導され、ごく自然に指ＦＧを置いたときの指ＦＧの指先にあたる部分の位置及び向きをほぼ一意的に選定することによって、撮像する指ＦＧの位置をほぼ一意的に配置し、指ＦＧの血管を撮像し得るようになされている（例えば特許文献１参照）。
【特許文献１】特開２００３−０３０６３２公報
【発明の開示】
【発明が解決しようとする課題】
【０００７】
ところでこのような撮像部１０を用いた場合には、ガイド溝１４及び撮像スイッチ１５によって指ＦＧの指先にあたる部分の位置及び向きが一意的に選定されるため、ユーザは指ＦＧの位置を選択することなく当該指ＦＧを配置して撮像するので、もし血管生成パターンが盗用された場合には、第三者によるユーザへのなりすましが可能となり、認証時の信頼性が損なわれるという問題がある。
【０００８】
また撮像部１０では、指ＦＧを挿入する挿入口から撮像スイッチ１５までの長さが固定され、その位置についても固定される。しかしながら人体の指ＦＧの長さには個人差があり、指ＦＧの長さによってはすべてのユーザが指ＦＧの同一の部位を配置して撮像することが困難であるという問題がある。
【０００９】
本発明は以上の点を考慮してなされたもので、認証時の信頼性を向上し得る撮像装置及び認証方法を提案するものである。
【課題を解決するための手段】
【００１０】
かかる課題を解決するために本発明においては、生体部位における認証対象を撮像する撮像装置において、認証対象を撮像する撮像手段と、生体部位における認証対象が撮像手段に対してそれぞれ異なる位置に配されるように設けられ、各位置を選択指標として表示する表示手段とを設けるようにした。
【００１１】
これにより、個人差にかかわらず常に同じ位置に生体部位の認証対象を配置することができると共に、第三者に対しては生体部位の認証対象をどの位置に配置したかを会得し得ないようにできる。
【００１２】
またかかる課題を解決するために本発明においては、生体部位における認証対象を認証する認証方法において、生体部位における認証対象が撮像手段に対してそれぞれ異なる位置に配されるように設けられ、各位置を選択指標として表示する表示手段によって選択された認証対象を撮像する第１のステップと、撮像した結果得られる撮像画像での認証対象の位置と、認証対象とをパラメータとして認証する第２のステップとを設けるようにした。
【００１３】
これにより、生体部位における認証対象が盗用をされたときにおいても、第三者は生体部位の認証対象をどの位置に配置したかを会得し得ないため、なりすましを防止することができる。
【発明の効果】
【００１４】
以上のように本発明によれば、生体部位における認証対象を撮像する撮像装置において、認証対象を撮像する撮像手段と、生体部位における認証対象が撮像手段に対してそれぞれ異なる位置に配されるように設けられ、各位置を選択指標として表示する表示手段とを設けるようにしたことにより、個人差にかかわらず常に同じ位置に生体部位の認証対象を配置することができると共に、第三者に対しては生体部位の認証対象をどの位置に配置したかを会得し得ないようにでき、かくして認証時の信頼性を向上し得る撮像装置が実現できる。
【００１５】
また以上のように本発明によれば、生体部位における認証対象を認証する認証方法において、生体部位における認証対象が撮像手段に対してそれぞれ異なる位置に配されるように設けられ、各位置を選択指標として表示する表示手段によって選択された認証対象を撮像する第１のステップと、撮像した結果得られる撮像画像での認証対象の位置と、認証対象とをパラメータとして認証する第２のステップとを設けるようにしたことにより、生体部位における認証対象が盗用をされたときにおいても、第三者は生体部位の認証対象をどの位置に配置したかを会得し得ないため、なりすましを防止することができ、かくして認証時の信頼性を向上し得る認証方法が実現できる。
【発明を実施するための最良の形態】
【００１６】
以下図面について、本発明の一実施の形態を詳述する。
【００１７】
（１）本実施の形態による携帯電話機の構成
図１において、２０は全体として本実施の形態による携帯電話機を示し、中央のヒンジ部２１を介して上部筐体２２及び下部筐体２３が連結されており、当該ヒンジ部２１を介して携帯電話機２０が折り畳み可能に形成されている。
【００１８】
この上部筐体２２における筐体表面２２Ａの正面中央には、液晶ディスプレイでなる表示部２４が設けられており、当該表示部２４を介して携帯電話機２０の各種機能に対応した画像等の情報を表示し得るようになされている。また筐体背面２２Ｂの上端右側には、
アンテナ部２５が伸縮自在に設けられており、当該アンテナ部２５を介して基地局（図示せず）との間で電波を送受信し得るようになされている。
【００１９】
さらに表示部２４の上側には、スピーカ２６が設けられており、当該スピーカ２６を介して通信先ユーザの音声等を出力し得るようになされている。
【００２０】
一方、下部筐体２３における筐体表面２３Ａの正面中央には、複数の操作ボタンからなる操作部２７が設けられており、各種命令の入力操作を行い得るようになされている。
【００２１】
また筐体表面２３Ａの下側には、マイクロホン２９が設けられており、通話時のユーザの音声等を集音し得るようになされている。
【００２２】
かかる構成に加えてこの携帯電話機２０においては、下部筐体２３における筐体表面２３Ａの操作部２７及びマイクロホン２９間に、血管を撮像するための撮像部３０が設けられている一方、下部筐体２３における筐体表面２３Ａの正面中央に長方形の格子状に、位置決めライン３１が設けられている。
【００２３】
このとき撮像部３０は、例えば、図２（Ａ）に示すように、人体の指ＦＧを位置決めライン３１のうち、指ＦＧの指先の頂上部分を横のラインの上から１番目のラインに合わせると共に、指ＦＧの左側面部分を縦のラインの左から２番目のラインに合わせて指ＦＧを配置した場合には、そのときに当該撮像部３０に配置される撮像対象（以下これを特定撮像対象と呼ぶ）の血管を撮像する。
【００２４】
また同様に撮像部３０は、例えば、図２（Ｂ）に示すように、人体の指ＦＧを位置決めライン３１のうち、指ＦＧの指先の頂上部分を横のラインの上から３番目のラインに合わ
せると共に、指ＦＧの左側面部分を縦のラインの左から２番目のラインに合わせて指ＦＧ
を配置した場合には、その位置に対応する特定撮像対象を撮像する。さらに同様に撮像部３０は、例えば、図２（Ｃ）に示すように、人体の指ＦＧを位置決めライン３１のうち、指ＦＧの指先の頂上部分を横のラインの上から１番目のラインに合わせると共に、指ＦＧ
の左側面部分を縦のラインの左から１番目のラインに合わせて指ＦＧを配置した場合には、
その位置に対応する特定撮像対象の血管を撮像する。
【００２５】
すなわちこの携帯電話機２０においては、位置決めライン３１のうちユーザが任意の位置に合わせて指ＦＧを配置することよって、その位置に対応した特定撮像対象の血管を撮像し得るようになされている。
【００２６】
また携帯電話機２０においては、位置決めライン３１によりユーザが配置した指ＦＧの位置を目視によって容易に認識し得るようになされており、その後位置決めライン３１に基づいてユーザが配置した位置に再び指ＦＧを配置することによって、常に同じ位置に配置された特定撮像対象の血管を撮像し得るようになされている。
【００２７】
（２）撮像部の具体的処理
次に、具体的にユーザが位置決めライン３１のうち、任意の指定した位置に合わせて指ＦＧを配置した場合についての、撮像部３０の具体的処理について説明する。
【００２８】
撮像部３０においては、図３に示すように、所定位置に撮像開口部３２が設けられる一方、当該撮像開口部３２の配置位置に対して両側から挟み込むように近赤外光光源３３（３３Ａ及び３３Ｂ）が配置されており、撮像開口部３２に配置された指ＦＧに向かって近赤外光を照射する。
【００２９】
この近赤外光は、指ＦＧ内方における血管組織（図示せず）では、内在するヘモグロビンに特異的に吸収され、それ以外の組織では透過又は反射する。
【００３０】
従って、指ＦＧを経由して得られる近赤外光は、血管組織の形成パターンを表す血管パターン光として、撮像開口部３２内に嵌め込まれた光学フィルタ３４を介して、下部筺体２３内における撮像開口部３２下のカメラ部３５に導光される。
【００３１】
このカメラ部３５は、光路上に順次配された紫外光カットフィルタ３５Ａ、レンズ３５Ｂ及び固体撮像素子３５Ｃを有し、撮像開口部３２を介して導光される血管パターン光と、このとき指ＦＧの隙間等から撮像開口部３２を介して導光される雰囲気中で通常得られる外光（以下、これを通常光と呼ぶ）とを紫外光カットフィルタ３５Ａ及びレンズ３５Ｂを順次介して固体撮像素子３５Ｃに入射する。
【００３２】
この固体撮像素子３５Ｃは、格子状に配された複数の光電変換素子を有し、これら光電変換素子において血管パターン光を光電変換され、入射する血管パターン光の光電変換結果として電荷信号が蓄積される。
【００３３】
このようにしてこの携帯電話機２０においては、人体の指ＦＧ内方における特定撮像対象の血管を撮像し得るようになされている。
【００３４】
（３）本実施の形態による携帯電話機の内部構成
この携帯電話機２０においては、図４に示すように、全体の制御を司る制御部３６に対して、通信処理部３７、撮像処理部３８、記憶部３９、表示部２４及び操作部２７が接続されて構成される。この記憶部３９には、各種命令に対応するプログラムが格納されている。
【００３５】
制御部３６は、操作部２７を介して記憶部３９内に格納されたプログラムを適宜読み出し、内部のワークメモリ（図示せず）に展開したプログラムに従って各種処理を施し、必要に応じて当該処理結果を表示部２４に表示するようになされている。
【００３６】
実際上、制御部３６は、操作部２７において発呼命令が与えられ、又は通信処理部３７から着信命令が与えられると、当該通信処理部３７を制御し、発呼時の処理及び着信時の操作に基づいて通話処理を実行する。
【００３７】
かかる構成に加えて制御部３６は、操作部２７から与えられる命令に応じて撮像処理部３８を制御し、血管形成パターンを登録する血管形成パターン登録モードと、当該血管形成パターンを認証する血管形成パターン認証モードとを有し、操作部２７からの命令に応じていずれかのモードを実行するようになされている。
【００３８】
通信処理部３７は、信号処理部４０に対して、送受信部４１、スピーカ２６及びマイクロホン２９が接続されて構成される。また送受信部４１には、アンテナ部２５が接続されており、当該アンテナ部２５を介して各種信号の送受信を行うようになされている。
【００３９】
そして通信処理部３７は、マイクロホン２９を介して入力されるユーザの音声を信号処理部４０において発話信号Ｓ１に変換し、当該発話信号Ｓ１を送受信部４１において変調した後に増幅し、アンテナ部２５を介して基地局（図示せず）に送信する一方、基地局（図示せず）からアンテナ部２５を介して送受信部４１に受信した相手ユーザの音声信号を、信号処理部４０において受話信号Ｓ２に変換し、当該受話信号Ｓ２に基づく受話音声をスピーカ２６から出力することによって、通話し得るようになされている。
【００４０】
撮像処理部３８は、撮像制御部４２に対して、近赤外光光源３３及びカメラ部３５が接続されて構成される。またカメラ部３５には、画像処理部４３が接続されて構成される。
【００４１】
撮像制御部４２は、通常光の強度よりも大きい強度として予め設定された値となるように近赤外光光源３３の出力を制御し、当該通常光よりも大きい強度の近赤外光を近赤外光光源３３から照射する。
【００４２】
そしてこの場合通常光は、図３に示したように骨等に遮られることによって減衰するのみならず、その強度よりも大きい近赤外光によって実質上無視できる光となる。
【００４３】
また撮像制御部４２は、上述のカメラ部３５の固体撮像素子３５Ｃ（図４）に蓄えられた電荷信号の電荷量を、電子シャッタと呼ばれる露光時間制御に従って制限することにより、カメラ部３５における血管パターン光に対する撮像感度を調整する。
【００４４】
具体的に撮像制御部４２は、図５に示すように、カメラ部３５の各光電変換素子に蓄えられる電荷量を、読み出しクロックの立ち下がりから次の読み出しタイミングである立ち上がりの期間（以下、これを電荷蓄積期間と呼ぶ）ｔ１内において所定のタイミングでリセットすることによって電荷量を制限するようになされている。
【００４５】
この結果、カメラ部３５の各光電変換素子では、図６（Ａ）に示すように、近赤外光光源３３から照射される近赤外光の強度が通常光よりも大きいことに起因して電荷蓄積期間ｔ１（図５）の途中で各光電変換素子に蓄積される電荷が飽和するといった事態が未然に回避されるのみならず、図６（Ｂ）に示すように、血管パターン光及び通常光に対する光電変換結果として各光電変換素子に蓄えられる電荷量が相対的に減少することとなるため、カメラ部３５における血管パターン光に対する撮像感度は通常光による実質的な影響のない状態となる。
【００４６】
従って、カメラ部３５は、かかる撮像制御部４２の露光時間制御により制限された電荷が、クロック発生器（図示せず）から供給される読み出しクロックの読み出しタイミングの読み出しの際に、指ＦＧ内方の血管を忠実に反映した撮像開口部３２を撮像枠とする血管画像信号Ｓ３として、画像処理部４３に送出する。
【００４７】
画像処理部４３は、供給される血管画像信号Ｓ３に対して、例えばアナログ／ディジタル変換を施すと共に、２値化処理を施すことにより、また必要に応じてその後種々の抽出処理を施すことにより、血管形成パターンを抽出し、抽出された血管形成パターン（以下、これを抽出血管形成パターンと呼ぶ）Ｓ４を制御部３６に送出する。
【００４８】
例えば、画像処理部４３は、図７（Ａ）に示すように、図２（Ａ）と同じ位置に指ＦＧを配置して撮像を行った場合には、図７（Ｄ）に示すような血管画像信号Ｓ３に基づく抽出血管形成パターンＳ４を抽出するようになされている
【００４９】
（４）血管形成パターンの登録及び認証モード
次に、血管形成パターンの登録及び認証モードを実行する制御部３６の処理内容について具体的に説明する。
【００５０】
（４−１）血管形成パターン登録モード
制御部３６は、供給される抽出血管形成パターンＳ４を登録する場合においては、当該抽出血管形成パターンＳ４を記憶部３９に送出して、当該記憶部３９において抽出血管形成パターンＳ４を記憶させることにより、登録血管形成パターンＳ５として記憶部３９に保持させるようになされている。
【００５１】
例えば、制御部３６は、図７（Ａ）に示すように、図２（Ａ）と同じ位置に指ＦＧを配置して撮像を行った場合には、図７（Ｄ）のような抽出血管形成パターンＳ４を登録血管形成パターンＳ５として登録するようになされている。
【００５２】
（４−２）血管形成パターン認証モード
制御部３６は、供給される抽出血管形成パターンＳ４を認証する場合においては、記憶部３９から登録血管形成パターンＳ５を当該制御部３６に読み出し、登録血管形成パターンＳ５と供給される抽出血管形成パターンＳ４との照合処理を行う。
【００５３】
このとき制御部３６は、登録血管形成パターンＳ５と、抽出血管形成パターンＳ４との血管形成パターンが一致するかを照合すると共に、登録血管形成パターンＳ５と、抽出血管形成パターンＳ４との撮像枠に対する血管形成パターンの位置（以下これを血管形成パターン位置と呼ぶ）が一致するかを照合するようになされている。
【００５４】
そして制御部３６は、登録血管形成パターンＳ５と血管形成パターンが一致し、かつ血管形成パターン位置が一致した場合にのみ認証し得るようになされている。
【００５５】
すなわち制御部３６は、登録血管形成パターンＳ５が図７（Ｄ）であるとすると、図７（Ｂ）に示すように、図２（Ｂ）と同じ位置に指ＦＧを配置して撮像を行った場合には、図７（Ｄ）に示す登録血管形成パターンＳ５と、図７（Ｅ）に示す抽出血管形成パターンＳ４との照合処理を行う。
【００５６】
この場合制御部３６は、図７（Ｄ）に示す登録血管形成パターンＳ５と、図７（Ｅ）に示す抽出血管形成パターンＳ４との血管形成パターンが異なっているので、認証を拒否するようになされている。
【００５７】
また同様に制御部３６は、図７（Ｃ）に示すように、図２（Ｃ）と同じ位置に指ＦＧを配置して撮像を行った場合には、図７（Ｄ）に示す登録血管形成パターンＳ５と、図７（Ｆ）に示す抽出血管形成パターンＳ４との照合処理を行う。
【００５８】
この場合制御部３６は、図７（Ｄ）に示す登録血管形成パターンＳ５と、図７（Ｅ）に示す抽出血管形成パターンＳ４との血管形成パターン位置が異なっているので、図７（Ｄ）に示す登録血管形成パターンＳ５と、図７（Ｅ）に示す抽出血管形成パターンＳ４との血管形成パターンが一致しているにもかかわらず、認証を拒否するようになされている。
【００５９】
さらに同様に制御部３６は、図７（Ａ）に示すように、図２（Ａ）と同じ位置に指ＦＧを配置して撮像を行った場合には、図７（Ｄ）に示す登録血管形成パターンＳ５と、図７（Ｄ）に示す抽出血管形成パターンＳ４との照合処理を行う。
【００６０】
この場合制御部３６は、図７（Ｄ）に示す登録血管形成パターンＳ５と、図７（Ｄ）に示す抽出血管形成パターンＳ４との血管形成パターンが一致し、かつ血管形成パターン位置も一致するので、認証するようになされている。
【００６１】
そして制御部３６は、登録血管形成パターンＳ５と抽出血管形成パターンＳ４とを認証した場合には、認証信号Ｓ６を生成してこれを記憶部３９に送出することによって、当該記憶部３９内の個人情報を取り扱えるようにする一方、登録血管形成パターンＳ５と抽出血管形成パターンＳ４との認証を拒否した場合には、認証拒否信号Ｓ７を生成してこれを記憶部３９に送出することによって、当該記憶部３９内の個人情報を取り扱えないようにするようになされている。
【００６２】
このようにして携帯電話機２０においては、登録時にユーザが配置した位置に、その後当該ユーザの指ＦＧが配置された場合にのみ認証し得るようになされている。
【００６３】
これによりこの携帯電話機２０においては、生体固有の血管形成パターンを用いて認証することにより、当該生体表面に有する指紋等に比して生体からの直接的な盗用を防止し得るようになされているのみならず、登録血管形成パターンＳ５に対して、位置決めライン３１に基づいて登録時にユーザが指ＦＧを配置した位置に当該ユーザの指ＦＧを配置した場合にのみ認証することにより、血管形成パターンの登録データが盗用される等、血管形成パターンが間接的な盗用をされたときにおいても、配置位置は当該ユーザにしか知り得ない情報のため、第三者が登録者になりすますといったことをも防止し得るようになされている。
【００６４】
（５）血管形成パターンの登録及び認証モード制御手順
ここで上述のような制御部３６による血管形成パターンの登録及び認証モード制御手順は、記憶部３９内に格納された制御プログラムに基づき、図８に示す血管形成パターンの登録及び認証モード制御手順ＲＴに従って行われる。
【００６５】
すなわち制御部３６は、血管を撮像し得る状態である場合において、血管形成パターンの登録及び認証モード制御手順ＲＴをステップＳＰ０において開始し、続くステップＳＰ１において、操作部２７にアクセスして、血管撮像命令がなされた（例えば、登録ボタン又は認証ボタン（図示せず）が押された）か否かを判断する。そして制御部３６は、このステップＳＰ１において血管撮像命令がなされるのを待ちながら、血管撮像命令がなされた場合のみ、位置決めライン３１に合わせて指ＦＧが置かれたと判断して、ステップＳＰ２に進み、撮像制御部４２にアクセスして血管撮像処理を実行させる。
【００６６】
また制御部３６は、この後ステップＳＰ３に進んで、血管画像信号Ｓ３に基づく抽出血管形成パターンＳ４を登録するか否かを判断する。そして制御部３６は、このステップＳＰ３において否定結果を得ると、登録血管形成パターンＳ５が登録済である、又は認証ボタンが押されたと判断して、ステップＳＰ５に進み、これに対して肯定結果を得ると、登録血管形成パターンＳ５が登録されていない、又は登録ボタンが押されたと判断して、ステップＳＰ４に進んで抽出血管形成パターンＳ４を登録血管形成パターンＳ５として記憶部３９に登録させる。
【００６７】
さらに制御部３６は、この後ステップＳＰ５に進んで抽出血管形成パターンＳ４と、登録血管形成パターンＳ５とを照合し、血管形成パターン及び血管形成パターン位置が一致するか否かを判断する。そして制御部３６は、このステップＳＰ５において否定結果を得るとステップＳＰ７に進み、これに対して肯定結果を得るとステップＳＰ６に進んで抽出血管形成パターンＳ４と、登録血管形成パターンＳ５とを認証する。
【００６８】
そして制御部３６は、この後ステップＳＰ７に進んで抽出血管形成パターンＳ４と、登録血管形成パターンＳ５とが３回以上認証が失敗したか否かを判断する。そして制御部３６は、このステップＳＰ７において否定結果を得るとステップＳＰ９に進み、これに対して肯定結果を得るとステップＳＰ８に進んで抽出血管形成パターンＳ４と、登録血管形成パターンＳ５との認証を拒否する。
【００６９】
さらに制御部３６は、この後ステップＳＰ９に進んで、例えば表示部２４に警告メッセージを表示してステップＳＰ１に戻り、この後ステップＳＰ１〜ステップＳＰ９について同様の処理を繰り返す。そして制御部３６は、やがてステップＳＰ１０に進んでこの血管形成パターンの登録及び認証モード制御手順ＲＴを終了する。
【００７０】
このようにして制御部３６は、撮像制御部３８及び記憶部３９を制御して抽出血管形成パターンＳ４の登録及び認証をし得るようになされている。
【００７１】
（６）本実施の形態による動作及び効果
以上の構成において、この携帯電話機２０では、位置決めライン３１の中からユーザに指ＦＧを配置する位置を選択させるようにする。
【００７２】
従って、この携帯電話機２０においては、ユーザに対しては個人差にかかわらず常に同じ位置に指ＦＧの認証部位を配置することができると共に、第三者に対してはユーザがどの位置に指ＦＧの認証部位を配置したかを会得し得ないようにできる。
【００７３】
また以上の構成において、この携帯電話機２０では、血管形成パターンのパラメータ及びユーザが指ＦＧを配置した位置に基づく血管形成パターンの位置パラメータが登録時と一致した場合にのみ認証する。
【００７４】
従って、この携帯電話機２０においては、血管形成パターンが盗用をされた場合においても、配置位置は当該ユーザにしか知り得ない情報のため、第三者がユーザになりすますといったことを防止することができる。
【００７５】
以上の構成によれば、位置決めライン３１の中からユーザに指ＦＧを配置する位置を選択させるようにすることにより、ユーザに対しては個人差にかかわらず常に同じ位置に指ＦＧの認証部位を配置することができると共に、第三者に対してはユーザがどの位置に指ＦＧの認証部位を配置したかを会得し得ないようにでき、かくして認証時の信頼性を向上し得る携帯電話機を実現できる。
【００７６】
また以上の構成によれば、血管形成パターンのパラメータ及びユーザが指ＦＧを配置した位置に基づく血管形成パターンの位置パラメータが登録時と一致した場合にのみ認証するようにしたことにより、血管形成パターンが盗用をされた場合においても、配置位置は当該ユーザにしか知り得ない情報のため、第三者がユーザになりすますといったことを防止することができ、かくして認証時の信頼性を向上し得る携帯電話機を実現できる。
【００７７】
（７）他の実施の形態
なお上述の実施の形態においては、撮像装置として折り畳み可能に形成した携帯電話機２０を適用するようにした場合について述べたが、本発明はこれに限らず、例えば折り畳み型以外のこの他種々の形状の携帯電話機に適用することができ、また例えばＰＤＡ（Personal Digital Assistants）やパーソナルコンピュータのような情報処理端末装置あるいは家庭用電子機器、通信機能を有するこの他種々の通信端末装置に適用することができる。
【００７８】
また上述の実施の形態においては、人体の指ＦＧに対して本発明を適用した場合について述べたが、本発明はこれに限らず、生体の網膜や生体の全身等、この他種々の部位に適用することができる。
【００７９】
さらに上述の実施の形態においては、生体部位における認証対象が撮像手段に対してそれぞれ異なる位置に配されるように設けられ、各位置を選択指標として表示する表示手段として、下部筐体２３における筐体表面２３Ａの正面中央に長方形の格子状に、ユーザが目視によって指ＦＧを配置する位置決めライン３１を設けた場合について述べたが本発明はこれに限らず、この他種々の様々な表示手段を用いるようにても良い。
【００８０】
例えば撮像装置５０は、図９に示すように、指型にかたどられた単数の位置決めライン５１が設けられ、当該位置決めライン５１に合わせてユーザが指ＦＧを配置することによって、その位置に対応した特定撮像対象の血管を撮像することができる。
【００８１】
また例えば撮像装置６０は、図１０に示すように、指型にかたどられたラインと当該ラインの内側に平行に配された線状の複数のラインとからなる位置決めライン６１が設けられ、当該位置決めライン６１のうち任意の位置に合わせてユーザが指ＦＧを配置することによって、その位置に対応した特定撮像対象の血管を撮像することができる。
【００８２】
さらに例えば撮像装置７０は、図１１に示すように、指型にかたどられたラインと当該ラインの内側に指の長さ及び太さに基づいて配された指型の複数のラインとからなる位置決めライン７１が設けられ、当該位置決めライン７１のうち任意の位置に合わせてユーザが指ＦＧを配置することによって、その位置に対応した特定撮像対象の血管を撮像することができる。
【００８３】
さらに撮像装置８０は、図１２に示すように、指型にかたどられたラインと当該ラインの内側に所定の複数の位置決め表示とからなる位置決めライン８１が設けられ、当該位置決めライン８１のうち任意の位置に合わせてユーザが指ＦＧを配置することによって、その位置に対応した特定撮像対象の血管を撮像することができる。
【００８４】
さらに例えば撮像装置９０は、図１３に示すように、所定位置に上方向又はこれと逆方向にスライド自在に構成された所定形状のストッパ９１が設けられると共に、当該ストッパ９１の位置決めを行う複数のラインと、当該ストッパ９１に対して垂直に配された線状の複数のラインとからなる位置決めライン９２が設けられ、所定位置に固定されたストッパ９１と位置決めライン９２のうちの任意の位置とに合わせてユーザが指ＦＧを配置することによって、その位置に対応した特定撮像対象の血管を撮像することができる。
【００８５】
さらに例えば撮像装置１００は、図１４に示すように、指先が配置される所定位置に所定形状の指紋認証装置１０１が設けられ、当該指紋認証装置１０１に合わせてユーザが指ＦＧを配置することによって、指紋認証装置１０１において任意の位置に配置された指紋を撮像する一方、その位置に対応した特定撮像対象の血管を撮像することができる。
【００８６】
さらに上述の実施の形態においては、生体部位における認証対象が撮像手段に対してそれぞれ異なる位置に配されるように設けられ、各位置を選択指標として表示する表示手段として、下部筐体２３における筐体表面２３Ａの正面中央に長方形の格子状に、位置決めライン３１を設ける一方、認証対象を撮像する撮像手段として、下部筐体２３における筐体表面２３Ａの操作部２７及びマイクロホン２９間に、血管を撮像するための撮像部３０を設けた場合について述べたが、本発明はこれに限らず、この他種々の位置に表示手段及び撮像手段を設けるようにしても良い。
【００８７】
例えば、図１との対応部分に同一符号を付して示す図１５において、１１０は全体として他の実施の形態による携帯電話機を示し、上部筐体２２における筐体表面２２Ａの表示部２４及びスピーカ２６間に、撮像部１１１が設けられる一方、表示部２４に位置決めライン１１２を表示させることを除いて同様に構成され、当該位置決めライン１１２のうち任意の位置に合わせてユーザが指ＦＧを配置することによって、その位置に対応した特定撮像対象の血管を撮像することができる。この場合表示部２４は、この他種々の表示手段を表示するようにしても良い。
【００８８】
また例えば、図１との対応部分に同一符号を付して示す図１６において、１２０は全体として他の実施の形態による携帯電話機を示し、下部筐体２２における筐体裏面２２Ｂに、撮像部１２１及び位置決めライン１２２が設けられることを除いて同様に構成され、当該位置決めライン１２２のうち任意の位置に合わせてユーザが指ＦＧを配置することによって、その位置に対応した特定撮像対象の血管を撮像することができる。この場合、ヒンジ部１２３にはロック機能が設けられており、認証することによってヒンジ部１２３のロックを解除するようにしても良い。
【００８９】
さらに上述の実施の形態においては、３回以上認証が失敗した時に認証を拒否した場合について述べたが、本発明はこれに限らず、この他種々の所定の回数で認証を拒否するようにしても良い。
【００９０】
さらに上述の実施の形態においては、電荷蓄積期間ｔ１（図５）内における所定のリセットタイミング時にリセットする場合について述べたが、本発明はこれに限らず、カメラ部３５での光量調整の度合いに応じて電荷蓄積期間ｔ１（図５）内におけるリセットタイミングを変更するようにしても良く、さらにはこれらを組み合わせるようにしても良い。このようにすれば、カメラ部３５における血管パターン光に対する撮像感度をより適応的に調整することができるため、指ＦＧの内方における血管を忠実に再現した血管画像信号Ｓ３として生成することができる。
【産業上の利用可能性】
【００９１】
本発明は、携帯電話機以外の種々の通信端末機器において第三者から各種データの秘匿性を確保する場合等に利用可能である。
【図面の簡単な説明】
【００９２】
【図１】本実施の形態による携帯電話機の構成を示す略線図である。
【図２】指を配置した場合の携帯電話機の様子を示す略線図である。
【図３】撮像部の具体的処理を示す略線図である。
【図４】本実施の形態による携帯電話機の内部構成を示すブロック図である。
【図５】電子シャッタの説明に供する略線図である。
【図６】電子シャッタによる撮像感度の調整の説明に供する略線図である。
【図７】指の配置位置と血管形成パターンとの関係の説明に供する略線図である。
【図８】血管形成パターンの登録及び認証モード制御手順を示すフローチャートである。
【図９】他実施の形態による撮像装置の構成（１）を示す略線図である。
【図１０】他実施の形態による撮像装置の構成（２）を示す略線図である。
【図１１】他実施の形態による撮像装置の構成（３）を示す略線図である。
【図１２】他実施の形態による撮像装置の構成（４）を示す略線図である。
【図１３】他実施の形態による撮像装置の構成（５）を示す略線図である。
【図１４】他実施の形態による撮像装置の構成（６）を示す略線図である。
【図１５】他実施の形態による携帯電話機の構成（１）を示す略線図である。
【図１６】他実施の形態による携帯電話機の構成（２）を示す略線図である。
【図１７】従来による撮像装置の構成を示す略線図である。
【符号の説明】
【００９３】
２０、１１０、１２０……携帯電話機、２７……操作部、３０、１１１、１２１……撮像部、３１、５１、６１、７１、８１、９２……位置決めライン、３２……撮像開口部、３３……近赤外光光源、３４……光学フィルタ、３５……カメラ部、３５Ａ……紫外線カットフィルタ、３５Ｂ……レンズ、３５Ｃ……固体撮像素子、３６……制御部、３７……通信処理部、３８……撮像処理部、３９……記憶部、４０……信号処理部、４１……送受信部、４２……撮像制御部、４３……画像処理部、５０、６０、７０、８０、９０、１００……撮像装置。
【図１】
2005312749.tif 000003
【図２】
2005312749.tif 000004
【図３】
2005312749.tif 000005
【図４】
2005312749.tif 000006
【図５】
2005312749.tif 000007
【図６】
2005312749.tif 000008
【図７】
2005312749.tif 000009
【図８】
2005312749.tif 000010
【図９】
2005312749.tif 000011
【図１０】
2005312749.tif 000012
【図１１】
2005312749.tif 000013
【図１２】
2005312749.tif 000014
【図１３】
2005312749.tif 000015
【図１４】
2005312749.tif 000016
【図１５】
2005312749.tif 000017
【図１６】
2005312749.tif 000018
【図１７】
2005312749.tif 000019